(57)【要約】  本発明の情報記録媒体（１００）は、データを記録するための複数の記録層（１１０、１２０、１３０及び１４０）を有し、複数の記録層の夫々が複数の記録形式のうちの一の形式に対応しており、複数の記録層の夫々に対して、該記録層の配置位置に応じて割り振られた第１の記録層番号（ＳＬＮ）と、対応する記録形式毎に割り振られた第２の記録層番号（ＬＬＮ）とがデータのアドレス領域（１４）に含まれる。
2011055453.tif 000002
【特許請求の範囲】
【請求項１】
データを記録するための複数の記録層を有する情報記録媒体であって、
前記複数の記録層の夫々は、(i)データが記録されるデータ領域と、前記データの記録アドレスが記録されるアドレス領域とを備え、(ii)複数の記録形式のうちいずれか一つの形式に対応し、(iii)記録層毎に割り当てられる第１の記録層番号と、対応する前記記録形式毎に割り当てられる第２の記録層番号とを有し、
前記第１の記録層番号と前記第２の記録層番号とが前記アドレス領域に含まれることを特徴とする情報記録媒体。
【請求項２】
前記複数の記録形式は、再生専用型、追記型及び書き換え型の少なくとも一つを含むことを特徴とする請求項１に記載の情報記録媒体。
【請求項３】
請求項１に記載の情報記録媒体に前記データを記録する情報記録装置であって、
前記情報記録媒体における前記アドレス領域に含まれる前記第１の記録層番号及び前記第２の記録層番号を参照する参照手段と、
前記参照された前記第１の記録層番号及び前記第２の記録層番号に基づいて前記データの記録を行う記録手段と
を備え、
前記記録手段は、前記データのアドレス領域に前記第１の記録層番号及び前記第２の記録層番号を含めて記録することを特徴とする情報記録装置。
【請求項４】
請求項１に記載の情報記録媒体に記録される前記データを再生する情報再生装置であって、
前記情報記録媒体における前記アドレス領域に含まれる前記第１の記録層番号及び前記第２の記録層番号を参照する参照手段と、
前記参照された前記第１の記録層番号及び前記第２の記録層番号に基づいて前記データの再生を行う再生手段と
を備えることを特徴とする情報再生装置。
【発明の詳細な説明】
【技術分野】
【０００１】
本発明は、例えば複数の記録層の夫々にレーザ光を照射することによってデータの記録及び再生が可能な光ディスクなどの情報記録媒体、当該情報記録媒体にデータを記録する情報記録装置、及び当該情報記録媒体に記録されるデータを再生する情報再生装置の技術分野に属する。
【背景技術】
【０００２】
近年、大量のデータの配布や長期保存に適した情報記録媒体として、光ディスクが注目されている。この光ディスクにデータを記録するための記録形式として、（１）製造時にスタンピングにより記録層にエンボスピットが形成され、このエンボスピットの再生のみが可能な再生専用型、（２）記録層に色素などから成る記録膜が用いられ、一回だけ記録が可能な追記型、（３）記録層に光磁気記録膜や相変化記録膜が用いられ、何度もデータの書き換えや消去が可能な書き換え型、などが知られている。【０００３】
このような光ディスクの大容量化の要求に応えるために、記録層を複数積層した光ディスクが提案されている。従来、多層型の光ディスクにおいては、複数の記録層の夫々が単一の記録形式に対応しており、各記録層は該記録形式に応じた物理的構造を有するともに、該記録形式に応じた論理的構造を共有していた。【０００４】
ここに、共有される論理的構造の例として、二層型オポジットトラックパス方式の光ディスクにおける、エリア構造及びセクタ番号の割り当てについて説明する。先ず、１層目の記録層（つまり、Ｌ０層）において、内周側から外周側に向けてリードインエリア、データエリア及びミドルエリアが設けられ、内周側から外周側へ移動するにつれて光ディスクの記録領域におけるセクタ番号が増加していく。他方、２層目の記録層（つまり、Ｌ１層）において、外周側から内周側に向けてミドルエリア、データエリア及びリードアウトエリアが設けられ、外周側から内周側へ移動するにつれて、Ｌ０層における折り返し点から継続される光ディスクの記録領域におけるセクタ番号は増加していく。このように、複数の記録層を有する光ディスクであっても、夫々の記録層が同一の記録形式に対応している場合、一つの論理アドレスで構成されている。【０００５】
このような光ディスクに対して記録または再生を行う光ディスク装置は、夫々のデータエリアに割り当てられるセクタ番号と共に、各記録層を特定するための記録層番号を参照することで、データの記録位置または再生位置を検出している。
【先行技術文献】
【特許文献】
【０００６】
【特許文献１】国際公開２００５／０７６２６８号公報
【発明の概要】
【発明が解決しようとする課題】
【０００７】
従来の光ディスクにおいては、例えばＥＣＣブロック内のアドレスフィールドなどに、光ディスク内の記録層を特定する記録層番号が記録されている。上述のように、一つの光ディスクは一つの論理アドレスにより構成されていたため、ディスク内の記録層を特定する記録層番号は、一の論理アドレス内での記録層を特定する記録層番号と同様の情報を示すものであった。【０００８】
近年、光ディスクの用途が多様化するにつれて、複数の記録形式を有する多層型の光ディスクについての研究が行われている。例えば、積層される複数の記録層のうち、一または複数の記録層が第１の記録形式に対応し、他の一または複数の記録層が第２の記録形式に対応するような光ディスクが近年開発されている。このような光ディスクは、複数の記録形式の夫々に対応して複数の論理アドレスを有している。【０００９】
複数の論理アドレスを有する光ディスクにおいても、データの記録位置または再生位置の検出を行うために、夫々の記録層に記録層番号が割り当てられている必要がある。しかしながら、複数の論理アドレスを有することから、光ディスク内の記録層を特定する記録層番号と、一の論理アドレス内での記録層を特定する記録層番号とは互いに異なるものとなる。【００１０】
従来、典型的な書き換え型の光ディスクにおいては、一の論理アドレスにおける１層目の記録層（つまり、Ｌ０層）には、リードインエリアが設けられ、セクタ番号の開始点が設けられていた。従来のソフトウェアモジュールなどにおいては、このように記録層番号と論理アドレスとの対応関係が一意に対応しているため、記録層番号を参照することで記録層を特定することは可能とされていた
他方で、光ディスク内の記録層を特定するために各記録層に順番に割り当てられた記録層番号では、一の記録形式（つまり、論理アドレス）における１層目の記録層であっても、Ｌ０とは異なる記録層番号が割り当てられる可能性がある。このため、例えば、一の記録形式に対応する記録層に対してデータの記録を行うための情報が記録されるリードインエリアが存在する記録層を適切に検出出来ないという虞がある。また、従来のソフトウェアモジュールにおいて規定される記録層番号と論理的構造との対応関係を適用できず、このような光ディスクを扱えないという技術的な問題が生じる。【００１１】
他方で、各記録形式に対応する論理アドレスに応じて記録層番号（Ｌ０、Ｌ１、…の順）を割り当てる場合、異なる論理アドレス系列の記録形式同士で同一の記録層番号が割り当てられる記録層が複数存在する場合（例えば、Ｌ０が複数存在する場合）が生じ、適切な記録層の特定が行えない。【００１２】
本発明は、例えば上述した問題点に鑑みなされたものであり、例えば複数の論理構造を有する多層型の光ディスクにおいて、適切に対象記録層の特定が可能な情報記録媒体及びこのような情報記録媒体を対象とする情報記録装置及び情報再生装置を提供することを課題とする。
【課題を解決するための手段】
【００１３】
上記課題を解決するために、本発明の情報記録媒体は、データを記録するための複数の記録層を有する情報記録媒体であって、前記複数の記録層の夫々が複数の記録形式のうちの一の形式に対応しており、前記複数の記録層の夫々に対して、該記録層の配置位置に応じて割り振られた第１の記録層番号と、対応する前記記録形式毎に割り振られた第２の記録層番号とが前記データのアドレス領域に含まれる。【００１４】
上記課題を解決するために、本発明の情報記録装置は、上述の情報記録媒体に前記データを記録する情報記録装置であって、前記情報記録媒体における前記データのアドレス領域に含まれる前記第１の記録層番号及び前記第２の記録層番号を参照する参照手段と、前記参照された前記第１の記録層番号及び前記第２の記録層番号に基づいて前記データの記録を行う記録手段とを備える。【００１５】
上記課題を解決するために、本発明の情報記録装置は、上述の情報記録媒体に記録される前記データを再生する情報再生装置であって、前記情報記録媒体における前記データのアドレス領域に含まれる前記第１の記録層番号及び前記第２の記録層番号を参照する参照手段と、前記参照された前記第１の記録層番号及び前記第２の記録層番号に基づいて前記データの再生を行う再生手段とを備える。【００１６】
本発明の作用及び他の利得は次に説明する実施の形態から明らかにされよう。
【図面の簡単な説明】
【００１７】
【図１】本実施例に係る光ディスクの基本構造を示した概略図であり、該光ディスクの概略図と、該光ディスクの半径方向における記録領域構造の図式的概念図である。
【図２】本実施例に係る光ディスクに格納される記録層番号の対応関係を示すデータテーブルの例である。
【図３】本実施例に係る光ディスクにおけるＥＣＣブロック及びＢＩＳブロックの構造を概略的に示す模式図である。
【図４】本実施例に係る光ディスクにおけるＢＩＳブロック内のアドレスフィールドの構造を概略的に示す模式図である。
【図５】本実施例の情報記録再生装置の構成の一例を示すブロック図である。
【発明を実施するための形態】
【００１８】
＜１＞
本発明の情報記録媒体に係る実施形態は、データを記録するための複数の記録層を有する情報記録媒体であって、前記複数の記録層の夫々は、(i)データが記録されるデータ領域と、前記データの記録アドレスが記録されるアドレス領域とを備え、(ii)複数の記録形式のうちいずれか一つの形式に対応し、(iii)記録層毎に割り当てられる第１の記録層番号と、対応する前記記録形式毎に割り当てられる第２の記録層番号とを有し、前記第１の記録層番号と前記第２の記録層番号とが前記アドレス領域に含まれる。
【００１９】
本発明の情報記録媒体に係る実施形態によれば、夫々が複数通りの記録形式うちいずれか一つの記録形式に対応する複数の記録層が積層されることで成る光ディスクなどの情報記録媒体が構成される。具体的には、積層される複数の記録層のうち一または複数の記録層が第１の記録形式に対応し、他の一または複数の記録層が第２の記録形式に対応した構造となっている。尚、更に第３の記録形式などの更なる記録形式に対応した構造を有する記録層を備えていても良い。ここに、複数通りの記録形式は、例えば後述するように、再生専用型、追記型及び書き換え型などのデータの記録の態様を規定する形式である。また、所定の記録形式に対応する記録層とは、かかる記録形式でのデータの記録／再生を可能とする物理的及び論理的な構造を有する記録層を示す趣旨である。
【００２０】
本実施形態の情報記録媒体においては、各記録層は、夫々データが記録されるデータ領域と、該データが記録される部分を示すアドレス情報が記録されるアドレス領域を有する。このため、本実施形態の情報記録媒体に対してデータの記録を行う情報記録装置は、かかるアドレス情報を参照することでデータの記録位置を取得し、且つかかるアドレス領域にデータが記録される部分のアドレス情報を記録するよう構成されることが好ましい。他方で、本実施形態の情報記録媒体からデータの再生を行う情報再生装置は、かかるアドレス情報を参照することで再生されるデータの記録位置を取得する構成であることが好ましい。
【００２１】
本実施形態の情報記録媒体が備える複数の記録層の夫々には、第１の記録層番号と第２の記録層番号とが割り当てられている。
【００２２】
第１の記録層番号は、情報記録媒体における記録層毎に一意に割り当てられる連続した記録層番号であって、例えば、各記録層の積層される配置位置に応じて割り当てられる。具体的には、第１の記録層番号は、情報記録媒体に含まれる各記録層について、記録／再生時の光ピックアップから遠い記録層から順にＳＬ０、ＳＬ１、…と連続的に割り当てられる。このため、例えば、一のセクタにおける第１の記録層番号と、セクタ番号とを読み取ることで、情報記録媒体中の該セクタ位置を絶対的に（言い換えれば一意に）決定することが出来る。
【００２３】
第２の記録層番号は、情報記録媒体における各記録層が対応する記録形式毎に一意に割り当てられる連続した記録層番号であって、例えば、夫々の記録形式毎に、対応する記録層内の論理的な構造に応じて割り当てられる。例えば、複数の記録形式のうち書き換え型に対応する複数の記録層について、セクタ番号が開始される記録層からＬＬ０、ＬＬ１、…と連続的に割り当てられる。また、同じ情報記録媒体上の再生専用型に対応する複数の記録層について、セクタ番号が開始される記録層からＬＬ０、ＬＬ１、…と連続的に割り当てられる。従って、一の情報記録媒体において、書き換え型のＬＬ０、ＬＬ１、…と再生専用型のＬＬ０、ＬＬ１、…のように、記録形式毎に同一の第二の記録層番号が割り当てられた記録層が存在する。このように、第２の記録層番号によれば、情報記録媒体における各記録層を記録形式毎に相対的に特定することが出来る。
【００２４】
このような光ディスクは、複数の記録形式毎に対応する論理アドレス系列を有している。尚、光ディスク上の物理アドレスは、論理アドレス系列に応じて割り当てられる第２の記録層番号と、記録層内物理アドレスとにより記録されている。データの再生時には、この物理アドレスが一定のルールに基づいて論理アドレスへと変換されることで、所望のデータが記録されるセクタが特定される。
【００２５】
通常、論理アドレスは、０から始まる連続番号となっており、各論理アドレス系列において同一の換算方法が提供されることが好ましい。
【００２６】
しかしながら、各記録形式に対応する記録層の数や位置は、光ディスクの設計により異なることがある。このとき、記録層の数などに応じて、第１の記録層番号と第２の記録層番号との対応関係が変化することがある。例えば、第１の記録層番号としてＳＬ０、ＳＬ１、ＳＬ２及びＳＬ３が割り当てられている４つの記録層を有する光ディスクについて説明する。ＳＬ０及びＳＬ１が第１の記録形式に対応し、ＳＬ２及びＳＬ３が第２の記録形式に対応する光ディスクと、ＳＬ０、ＳＬ１及びＳＬ２が第１の記録形式に対応し、ＳＬ３が第２の記録形式に対応する光ディスクとでは、第１の記録層番号と第２の記録層番号との対応関係が異なる。具体的には、前者の光ディスクにおいて、記録層ＳＬ０及び記録層ＳＬ２の記録層は、第１及び第２の記録形式の夫々における１層目の記録層であることから第２の記録層番号としてＬＬ０が割り当てられ、記録層ＳＬ１及び記録層ＳＬ３は、第１及び第２の記録形式の夫々における２層目の記録層であることから第２の記録層番号としてＬＬ１が割り当てられる。他方で、後者の光ディスクにおいては、記録層ＳＬ０及び記録層ＳＬ３の記録層は、第１及び第２の記録形式の夫々における１層目の記録層であることから第２の記録層番号としてＬＬ０が割り当てられ、記録層ＳＬ１及び記録層ＳＬ２は、第１の記録形式における２層目、３層目の記録層であることから第２の記録層番号としてＬＬ１、ＬＬ２が夫々割り当てられる。尚、記録層ＳＬ０とは、第１の記録層番号としてＳＬ０が割り当てられる記録層であり、他も同様である。このように、光ディスクにおける記録層毎の対応する記録形式が把握されていなければ、一方の記録層番号から他方の記録層番号を一意に導き出すことは出来ない。
【００２７】
また、第１の記録層番号は、情報記録媒体における各記録層の物理情報（例えば、積層される位置など）に対応している。例えば、レイヤジャンプを行う場合、レイヤジャンプを行う記録層間の厚さに応じてジャンプ量（例えば、光ピックアップにおける光軸の調整量）を決定する必要がある。一般的に、各記録層間の厚さ（例えば、スペーサ層の厚さ）は、記録層間のクロストークの影響を抑制するために、夫々異なる暑さとなっている。このため、適切なレイヤジャンプを実施するためのジャンプ量を決定するためには、現在の記録層が情報記録媒体内で一意に特定される必要がある。
【００２８】
本実施形態の情報記録媒体における各記録層のデータエリアは、好適にはセクタ構造を有し、各セクタのアドレス領域には、少なくとも第１の記録層番号及び第２の記録層番号が書込まれている。
【００２９】
このため、情報記録媒体に対して情報の記録または再生を行う記録／再生装置によれば、各セクタのアドレス領域を参照することで、現在の記録／再生位置が存在する記録層の絶対的な位置の特定と、各記録形式における相対的な位置の特定とを容易に行うことが出来る。
【００３０】
尚、各記録層に係る第１の記録層番号と第２の記録層番号との対応関係は、好適には、例えばデータテーブルとして情報記録媒体内のリードインエリア（例えば、各記録形式毎の１層目の記録層に設けられるリードインエリア）内に格納されている。このため、情報記録装置及び情報再生装置は、リードインエリアに格納されるデータテーブルを参照することで、第１の記録層番号と第２の記録層番号との対応関係を容易に取得することが出来る。
【００３１】
上述した本発明の情報記録媒体の実施形態によれば、レイヤジャンプを実施する際に、各セクタのアドレス領域に含まれる第１の記録層番号を参照することで、現在の記録／再生位置が存在する記録層を特定することが出来る。このため、ジャンプ先の記録層へのレイヤジャンプを行うためのジャンプ量を適切に決定することが出来る。
【００３２】
また、同一の記録形式を共有する複数の記録層においては、夫々セクタ番号の割り当てが異なるため（例えば、オポジットトラックパス方式の記録層において、Ｌ０層では内周側から外周側に向けてセクタ番号が増加する一方で、Ｌ１層では外周側から内周側に向けてセクタ番号が増加するように）、記録層毎に記録／再生時のデコード方法が異なる。
【００３３】
上述した本発明の情報記録媒体の実施形態によれば、各セクタのアドレス領域に含まれる第２の記録層番号を参照することで、現在の記録／再生位置が存在する記録層の、対応する記録形式（言い換えれば、論理的な構造）における位置を特定することが出来、該位置に応じて適切なデコード方法を決定することが出来る。
【００３４】
このように、第２の記録層番号によれば、各記録形式に対応する一または複数の記録層の中から一の記録層を相対的に特定出来るため、例えば、現在の記録／再生位置が存在する記録層を特定した上で、該記録形式におけるリードインエリアが存在する記録層を容易に特定することが出来る。そこで、上述した第１の記録層番号に基づくことで、リードインエリアを有する記録層へレイヤジャンプを行うことが可能となる。
【００３５】
尚、本実施形態において第１の記録層番号及び第２の記録層番号は、例えば、従来型のＤＶＤまたはＢＤにおいて採用されているように、各セクタ毎のアドレス領域、各セクタ毎のＥＣＣブロックに含まれるフラグビット領域及び複数のフラグビット領域を組み合わせた領域の夫々、または適宜組み合わせたものに記録されていて良い。また、セクタ番号内に、各記録層を識別可能な態様で組み込まれていても良い。本発明に係るアドレス領域とは、このように層番号情報が記録され得る領域を包含して成る広い概念であって良い。
【００３６】
尚、本実施形態に係る情報記録媒体では、特に書き換え型または追記型の記録形式に対応する各記録層において、第１の記録層番号及び第２の記録層番号並びにセクタ番号などが、予めウォブルなどにプリフォーマットされている、所謂ＡＤＩＰ（Ａｄｄｒｅｓｓ  ｉｎ  Ｐｒｅ−Ｇｒｏｏｖｅ）が採用されている。このため、かかる情報記録媒体の実施形態にデータを記録する情報記録装置は、データの記録を行うに当たって、これらのプリフォーマット情報を参照することで、データの記録位置を特定することが出来る。
【００３７】
また、本実施形態に係る情報記録媒体において、特に再生専用型の記録形式に対応する記録層においては、例えばディスク製造時に、第１の記録層番号及び第２の記録層番号がアドレス領域に含まれるようスタンパによりエンボスピットが生成されることが好ましい。
【００３８】
以上、説明したように、本発明の情報記録媒体に係る実施形態によれば、データが記録される各セクタに含まれる第１の記録層番号及び第２の記録層番号を参照することで、情報記録媒体における各記録層を絶対的に特定可能となると共に、記録形式毎に各記録層を特定可能となる。
【００３９】
＜２＞
本発明の情報記録媒体に係る実施形態の一の態様は、前記複数の記録形式は、再生専用型、追記型及び書き換え型の少なくとも一つを含む。
【００４０】
この態様によれば、情報記録媒体が備える複数の記録層は、夫々再生専用型、追記型及び書き換え型の少なくとも一つを含む記録形式に対応した物理的及び論理的な構造を有するよう構成される。このため、第１の記録層番号及び第２の記録層番号とが含まれる各データエリアのアドレス領域を参照することで、夫々の記録形式の夫々に対応する記録層を好適に検出することが出来る。
【００４１】
従って、比較的容易に、用途に応じた複数の記録形式でデータの記録を行うと共に、データの再生を実施することが出来る。
【００４２】
＜３＞
本発明の情報記録装置に係る実施形態は、上述した情報記録媒体の実施形態に前記データを記録する情報記録装置であって、前記情報記録媒体における前記アドレス領域に含まれる前記第１の記録層番号及び前記第２の記録層番号を参照する参照手段と、前記参照された前記第１の記録層番号及び前記第２の記録層番号に基づいて前記データの記録を行う記録手段とを備え、前記記録手段は、前記データのアドレス領域に前記第１の記録層番号及び前記第２の記録層番号を含めて記録する。
【００４３】
本発明の情報記録装置に係る実施形態によれば、上述した情報記録媒体の実施形態に対して、好適にデータの記録を行うことが出来る。また、情報記録装置の実施形態は、情報記録媒体に記録するデータのアドレス領域に第１の記録層番号及び第２の記録層番号を含めてデータの記録を行う。
【００４４】
参照手段は、典型的には、光ディスクなどの情報記録媒体に記録されるアドレス情報を読み取り可能な、情報記録装置の制御部などである。参照手段は、例えばウォブルなどにプリフォーマットされるアドレス情報をデコードすることで、現在の記録層の第１の記録層番号及び第２の記録層番号を取得する。
【００４５】
記録手段は、取得される第１の記録層番号及び第２の記録層番号に基づいてデータの書き込み位置を検出する。例えば、記録手段は、第２の記録層番号に基づいて、一の記録形式におけるリードインエリアが設けられる記録層を特定する。そして、該リードインエリアに格納される第１の記録層番号と第２の記録層番号との対応関係を示すデータに基づいてデータの書き込み可能な記録層を検出する。続いて、記録手段は、該記録層においてウォブルなどにプリフォーマットされるアドレス情報（例えば、セクタ番号）に基づいて、データの書き込み位置を決定する。そして、データの書き込み位置が決定された後、記録手段は、該所定の書き込み位置に対し、アドレス領域に第１の記録層番号及び第２の記録層番号を含めてデータの記録を行う。
【００４６】
このように構成することで、上述した本発明の情報記録媒体の実施形態により享受可能な種々の効果を享受してデータの記録を行うことが可能となる。
【００４７】
＜４＞
本発明の情報再生装置に係る実施形態は、上述した情報記録媒体の実施形態に記録される前記データを再生する情報再生装置であって、前記情報記録媒体における前記アドレス領域に含まれる前記第１の記録層番号及び前記第２の記録層番号を参照する参照手段と、前記参照された前記第１の記録層番号及び前記第２の記録層番号に基づいて前記データの再生を行う再生手段とを備える。
【００４８】
本発明の情報再生装置に係る実施形態によれば、上述した情報記録媒体の実施形態に記録されるデータを好適に再生することが出来る。
【００４９】
データの再生時に、参照手段は、記録されるデータのアドレス領域に含まれる第１の記録層番号第２の記録層番号を取得する。
【００５０】
再生手段は、取得される第１の記録層番号及び第２の記録層番号に基づいて、目的のデータが記録されている記録層を検出する。特に、再生手段は、情報記録媒体における記録層を特定するための第１の記録層番号に基づいて、現在の記録層を特定し、目的のデータが記録されている記録層までレイヤジャンプを行う。
【００５１】
続いて、再生手段は、該記録層に記録される各データのアドレス情報（例えば、セクタ番号）に基づいて、目的のデータ位置を決定し、データの再生を行う。
【００５２】
このように構成することで、上述した本発明の情報記録媒体の実施形態により享受可能な種々の効果を享受してデータの再生を行うことが可能となる。
【００５３】
以上説明したように、本発明の情報記録媒体に係る実施形態によれば、複数の記録形式のうちの一の形式に夫々対応する複数の記録層を有する情報記録媒体において、記録されるデータのアドレス領域に第１の記録層番号と第２の記録層番号とが含まれる。本発明の情報記録装置に係る実施形態によれば、参照手段と記録手段とを備える。本発明の情報再生装置に係る実施形態によれば、参照手段と再生手段とを備える。従って、複数の記録形式のうちの一つに対応する複数の記録層を備える情報記録媒体において、適切な記録層の特定を行うことが出来る。
【実施例】
【００５４】
以下、図面を参照して、本発明の実施例について説明する。【００５５】
（１）情報記録媒体の基本構成例
初めに、図１を参照して、本発明の情報記録媒体に係る実施例としての光ディスク１００について説明を進める。ここに、図１は、本実施例に係る光ディスク１００の基本構造を示した概略図であり、図１（ａ）には、該光ディスク１００の概略図が、図１（ｂ）には、これに対応付けられた、光ディスク１００の半径方向における記録領域構造の図式的概念図が夫々示されている。【００５６】
図１（ａ）及び図１（ｂ）に示されるように、光ディスク１００は、例えば、ＢＤ（Ｂｌｕ−ｒａｙ  Ｄｉｓｃ）と同じく直径１２ｃｍ程度のディスクであって、例えば、透明基板１０２に、本発明に係る複数の記録層の一例を構成する記録層１１０、１２０、１３０及び１４０、並びにカバー層１０３が積層されている。また、各記録層の間には、スペーサ層が積層されている。好適には、各記録層間のスペーサ層は、夫々厚さが異なる。そして、この記録層の各記録領域には、例えば、センターホール１０１を中心にスパイラル状或いは同心円状に、例えば、グルーブトラック及びランドトラック等のトラックが交互に設けられている。また、このトラック上には、データがＥＣＣ（Ｅｒｒｏｒ  Ｃｏｌｌｅｃｔｉｏｎ  Ｃｏｄｅ）ブロックという単位で分割されて記録される。ＥＣＣブロックは、記録情報がエラー訂正可能なデータ管理単位である。【００５７】
このような多層型の光ディスク１００の記録再生時には、図１（ａ）中、下側から上側に向かって照射されるレーザ光ＬＢの集光位置が所定の記録層に合わせられることで、該記録層におけるユーザデータ等の各種データの記録再生が行われる。【００５８】
特に、本実施例の光ディスクにおける各記録層は、夫々異なる記録形式に対応して構成されている。記録層１１０及び１２０は、書き換え型の記録形式（例えば、ＢＤ−ＲＥ）に対応しており、記録層１３０及び１４０は、追記型の記録形式（例えば、ＢＤ−Ｒ）に対応している。このため、記録層１１０及び１２０と、記録層１３０及び１４０とでは、典型的には記録層の物理的及び論理的な構造が互いに異なっている。【００５９】
具体的には、記録層１１０及び１２０の夫々が備える記録膜は、例えば相変化膜を含んでおり、該相変化膜が結晶状態及び非結晶状態（アモルファス状態）との間を遷移することで、同一のエリア部分にデータを複数回記録可能に構成されている。他方で、記録層１３０及び１４０の夫々が備える記録膜は、色素などが塗布されて成る記録膜が用いられ、該色素がレーザ光照射により改質することで該記録膜におけるデータの一回限りの記録を可能としている。各記録層の論理的な構造の違いについては後述する。【００６０】
尚、以降、記録層１１０及び１２０のように連続して配置（つまり積層）される、同一の記録形式に対応する複数の記録層のセットのことをレイヤセットと称する。尚、各レイヤセットには、例えば、連続番号であるレイヤセットナンバが設定されている。図１（ａ）の図では、記録層１１０と１２０とがレイヤセット０に属し、記録層１３０と１４０とがレイヤセット１に属する。【００６１】
本実施例に係る光ディスク１００における複数の記録層１１０、１２０、１３０及び１４０の夫々は、図１（ｂ）に示されるように、図１（ａ）及び（ｂ）下側から、ＳＬ０層／ＬＬ０層１１０、ＳＬ１層／ＬＬ１層１２０、ＳＬ２層／ＬＬ０層１３０、ＳＬ３層／ＬＬ１層１４０のように記録層番号が割り当てられている。以下にこれらの二種類の記録層番号について説明する。【００６２】
本実施例においては、本発明の第１の記録層番号の具体例として、シグナルレイヤナンバ（ＳＬＮ：Ｓｉｇｎａｌ  Ｌａｙｅｒ  Ｎｕｍｂｅｒ）という連続番号が採用されている。ここに、ＳＬＮとは、光ディスク１００における各記録層を特定するための記録層番号の一例であって、例えば積層される複数の記録層の夫々に対して、配置位置などに応じて順番に割り当てられる連続番号である。図１（ｂ）に示される例では、図１（ｂ）下側の記録層１１０から順番に、例えば、ＳＬ０、ＳＬ１、ＳＬ２、…と割り当てられている。【００６３】
また、本実施例においては、本発明の第２の記録層番号の具体例として、ロジカルレイヤナンバ（ＬＬＮ：Ｌｏｇｉｃａｌ  Ｌａｙｅｒ  Ｎｕｍｂｅｒ）という連続番号が採用されている。ここに、ＬＬＮとは、光ディスク１００における各レイヤセット内での記録層を特定するための記録層番号の一例であって、積層される複数の記録層のうち、同一のレイヤセットに属する一または複数の記録層の夫々に対して、例えば、論理アドレスの割り当て順に応じて順番に割り当てられる。また、ＬＬＮは、各レイヤセット内において夫々独立して割り当てられる連続番号であって、異なるレイヤセットにおいて夫々同一の連続番号が用いられる。例えば、一のレイヤセットに属する複数の記録層に対して夫々連続番号（ＬＬ０、ＬＬ１、…）が割り当てられるとともに、他のレイヤセットに属する複数の記録層の夫々に対して、新しく連続番号（ＬＬ０、ＬＬ１、…）が割り当てられる。一の光ディスクにおいて、複数の記録層に同一のＬＬＮが割り当てられることがあっても良い。図１（ｂ）に示される例では、記録層１１０に対してＬＬ０、記録層１２０に対してＬＬ１、記録層１３０に対してＬＬ０、記録層１４０に対してＬＬ１が夫々割り当てられている。図１（ｂ）に示される光ディスク１００における各記録層について図を参照しながら説明を続ける。【００６４】
ＳＬ０層／ＬＬ０層１１０は、光ディスク１００における書き換え型の記録形式に対応したレイヤセット０に属する１層目の（つまり、ＬＬ０である）記録層であり、リードインエリア１１１、ユーザデータエリア１１２及びミドルエリア１１３を有する。【００６５】
ＳＬ１層／ＬＬ１層１２０は、光ディスク１００における書き換え型の記録形式に対応したレイヤセット０に属する２層目の（つまり、ＬＬ１である）記録層であり、リードアウトエリア１２１、ユーザデータエリア１２２及びミドルエリア１２３を有する。【００６６】
ＳＬ２層／ＬＬ０層１３０は、光ディスク１００における追記型の記録形式に対応したレイヤセット１に属する１層目の（つまり、ＬＬ０である）記録層であり、リードインエリア１３１、ユーザデータエリア１３２及びミドルエリア１３３を有する。【００６７】
ＳＬ３層／ＬＬ１層１４０は、光ディスク１００における追記型の記録形式に対応したレイヤセット１に属する２層目の（つまり、ＬＬ１である）記録層であり、リードアウトエリア１４１、ユーザデータエリア１４２及びミドルエリア１４３を有する。【００６８】
尚、特に、ＳＬ０層／ＬＬ０層１１０及びＳＬ２層／ＬＬ０層１３０においては、内周側から外周側に向かって各種データが記録され、他方ＳＬ１層／ＬＬ１層１２０及びＳＬ３層／ＬＬ１層１４０においては、外周側から内周側に向かって各種データが記録される。即ち、本実施例に係る光ディスク１００は、オポジットトラックパス方式の光ディスクに相当する。しかしながら、例えばパラレルトラックパス方式などの光ディスクであっても良い。【００６９】
また、各記録層における夫々のデータエリアは、特に記述が無い限りは、夫々が属するレイヤセットが対応する記録形式に対応する公知の光ディスクが有するデータエリアと同様の構成であって良く、各データエリアに記録されるデータも同様の形式であっても良い。【００７０】
以上、説明したように、同一のレイヤセットに属する記録層でも、例えば、ＳＬ０層／ＬＬ０層１１０とＳＬ０層／ＬＬ１層１２０とでは、論理的な構造が異なる。また、特に、ＳＬ０層／ＬＬ０層１１０またはＳＬ１層／ＬＬ０層１３０に設けられるリードインエリア１１１または１３１には、データの記録または再生のために必要な参照情報が記録されていることから、ＳＬ０層／ＬＬ０層１１０及びＳＬ１層／ＬＬ０層１３０を特定することは記録または再生を実施する上で重要となる。このとき、各レイヤセットにおけるＬＬＮが０となる記録層を特定することで、適切にリードインエリア１１１及び１３１が設けられる記録層を特定することが可能となる。【００７１】
また、目的の記録層までレイヤジャンプを行うためには、目的の記録層と現在の記録層とが特定されている必要がある。特に、各記録層の層間厚さが異なる構造を有する光ディスクにおいては、レイヤジャンプのためのジャンプ量は、現在の記録層と目的の記録層との組み合わせに固有のものとなる場合が多く、現在の記録層を一意に特定しなければ適切なジャンプ量を決定することが出来ない。適切でないジャンプ量（つまり、光ピックアップにおける光軸の調整量）を用いてレイヤジャンプを行う場合、レーザ光の集光点が目的の記録層上で安定しない可能性があり、記録または再生の品質の劣化に繋がる。【００７２】
そこで、本実施例のＳＬＮによれば、光ディスク１００の各記録層に、典型的には積層される配置に従って連続的な番号が割り当てられる。このため、各記録層のセクタに含まれるＳＬＮを読み取ることで、現在の記録層を一意に特定することが出来る。従って、ジャンプ先の記録層へのレイヤジャンプを行うためのジャンプ量を適切に決定することが出来る。【００７３】
尚、例えば、現在の記録層が属するレイヤセットにおけるリードインエリアが設けられる記録層（つまり、ＬＬ０層）へとレイヤジャンプを行うためには、ＬＬ０層を特定するためのＬＬＮと、適切なジャンプ量を決定するために、該ＬＬ０層のＳＬＮとが特定されている必要がある。また、目的の記録層のＳＬＮとＬＬＮとが互いに対応づけられている必要がある。【００７４】
本実施例の光ディスク１００におけるリードインエリア１１１及び１３１には、各記録層に係る記録層番号ＳＬＮ及びＬＬＮ、並びに各記録層が属するレイヤセットのレイヤセットナンバが相互に対応づけられて、例えばデータテーブルの形式で格納される。図２は、本実施例の光ディスク１００に係るデータテーブルの例である。【００７５】
データテーブルの左の列は、記録層毎に割り当てられるＳＬＮ（ＳＬ０、ＳＬ１、ＳＬ２、ＳＬ３）を示しており、中の列は各記録層が対応するレイヤセット（レイヤセット０、レイヤセット１）を示しており、右の列はレイヤセット毎に割り当てられるＬＬＮ（ＬＬ０、ＬＬ１）を示している。【００７６】
光ディスク１００に対して記録または再生を行う光ディスク装置は、リードインエリア１１１または１３１に格納されるこのようなデータテーブルを参照することで、所定の記録層に割り当てられるＳＬＮ及びＬＬＮを容易に取得することが可能となる。【００７７】
尚、本実施例に係る光ディスクは、このような４つの記録層１１０、１２０、１３０及び１４０を有する光ディスクには特に限定されない。より多くの、或いは少ない記録層を備える構成であっても良く、また各記録層が対応する記録形式も任意の構成であって良い。また、各記録層における物理的及び論理的な構造も、対応する記録形式に応じて適宜設定されていても良い。例えば、各記録層に、リードインエリア、リードアウトエリア又はミドルエリアが存在しない構成であっても良く、または更に細分化された構成であってもよい。【００７８】
尚、本実施形態に係る光ディスク１００では、特に書き換え型または追記型の記録形式に対応する各記録層において、ＳＬＮ及びＬＬＮ並びにセクタ番号などが、予めウォブルなどにプリフォーマットされている、所謂ＡＤＩＰが採用されていても良い。他方で、再生専用型の記録形式に対応する記録層においては、例えばディスク製造時に、ＳＬＮ及びＬＬＮがアドレス領域に含まれるようスタンパによりエンボスピットが生成されることが好ましい。【００７９】
（２）アドレス領域の例
続いて、図３及び図４を参照して、本発明の光ディスク１００のデータエリアにおけるＳＬＮ及びＬＬＮアドレス領域の記載について説明する。【００８０】
本実施例において採用されるＳＬＮとＬＬＮとの二つの記録層番号のうち、各レイヤセット毎に割り当てられるＬＬＮは、例えば従来の多層型の光ディスクにおいて用いられる記録層番号と同様のものである。一般的な光ディスクにおいて、このような記録層番号は、例えば各セクタにおけるセクタ番号の上位ビットなどに記録されている。本実施例の光ディスク１００においても、ＬＬＮは同様に各セクタにおけるセクタ番号の上位ビットなどに記録されていて良い。【００８１】
他方で、光ディスク１００における記録層を特定するＳＬＮは、従来用いられていないため、かかるＳＬＮを格納するための領域を新たに設定する必要がある。【００８２】
本発明の光ディスク１００の一具体例たるＢＤにおいて、一般的に用いられているＥＣＣブロック構造において、図３（ａ）及び（ｂ）を参照して説明する。図３（ａ）は、ＢＤの規格に準拠した光ディスク１００におけるＥＣＣブロック１０の構造を概略的に示す模式図であり、図３（ｂ）は、該ＥＣＣブロックに含まれるバーストインジケータサブコード（ＢＩＳ：Ｂｕｒｓｔ  Ｉｎｄｉｃａｔｏｒ  Ｓｕｂｃｏｄｅ）ブロック（ＢＩＳブロック）の模式図である。【００８３】
図３（ａ）に示されるように、ＥＣＣブロック１０は、６４ＫＢのデータ領域であって、ＳＹＮＣデータ列１１、夫々２４列のデータ列から成る３つのＢＩＳ１２、及び夫々が４９６バイトの容量を持つ１５２列の長距離コード（ＬＤＣ：Ｌｏｎｇ  Ｄｉｓｔａｎｃｅ  Ｃｏｄｅ）データ列１３を含む。ＬＤＣデータ列１２は、ＳＹＮＣデータ列１１及び３つのデータ列１２により、例えば３８列毎に４つのＬＤＣブロック１３に分割される。尚、ＬＤＣは２バイトを一つの符号語として表され、符号長２１６のデータ部及び符号長３２のパリティ部より構成される。【００８４】
３列のＢＩＳ１２のデータは、図３（ｂ）に示される、６行の物理アドレス情報１２ａ及び２４行のユーザコントロ−ルデータ１２ｂを含む３０行のデータと、３２行のパリティ情報１２ｃとを含む２４列のＢＩＳブロックからＥＣＣブロック１０に挿入される。また、ＢＩＳブロックにおける各列は、６バイトの物理アドレス情報、２４バイトのユーザコントロールデータ及び３２バイトのパリティ情報を含むＢＩＳコードワードである。つまり、ＢＩＳブロックは、図中左から右へ向かうＢＩＳコードワード０から２３までの２４のＢＩＳコードワードを有する。デコード処理の間、ＢＩＳコードワードのエラーは、ＢＩＳコードワードのパリティ列に基づくパリティチェックによって修正されるようになっている。【００８５】
ＢＩＳブロックにおける６行の物理アドレス情報１２ａは、１６個のアドレスフィールド１４を記録するために用いられる。該アドレスフィールド１４について、図４を参照して説明を続ける。ここに、図４は、一のアドレスフィールド１４の構造について概略的に示す模式図である。夫々のアドレスフィールド１４は、９バイトのデータを有しており、該９バイトのデータの内、最初の４バイトは、物理セクタに対応するアドレスユニットナンバー（ＡＵＮ：Ａｄｄｒｅｓｓ  Ｕｎｉｔ  Ｎｕｍｂｅｒ）部（ＡＵＮ部）であり、５バイト目はフラグビットを記録するフラグバイトであり、残りの４バイトは、アドレスフィールドのパリティである。【００８６】
本発明の二通りの記録層番号（すなわち、ＳＬＮ及びＬＬＮ）が格納されるアドレス領域の具体例として、かかるアドレスフィールド１４におけるＡＵＮ部が用いられて良い。このようなＡＵＮ部に記録層番号を記録する場合のデータ領域の用途について説明する。【００８７】
具体的には、第１の実施例として、ＡＵＮ部の４バイト（つまり、３２ビット）のデータ領域の内、０から２３までの２４ビットがレイヤ内アドレス（Ａｄｄｒｅｓｓ  Ｕｎｉｔ  Ｎｕｍｂｅｒ  ｉｎ  Ｌａｙｅｒ）として用いられ、続く４ビットにＬＬＮが記録され、最後の４ビットにＳＬＮが記録される。【００８８】
また、第２の実施例として、ＡＵＮ部の４バイト（つまり、３２ビット）のデータ領域を順番に、リザーブド（Ｒｅｓｅｒｖｅｄ）領域１ビット、セクタ番号４ビット、レイヤ内アドレス１９ビット、ＬＬＮ３ビット、リザーブド領域２ビット、ＳＬＮ３ビットのように用いても良い。【００８９】
尚、本実施例の光ディスク１００において、ＳＬＮ及びＬＬＮが格納されるアドレス領域の構成は、上述した態様に限定されることなく、例えば、他のアドレス領域またはフラグビット領域がＳＬＮ領域として採用されても良く、また、アドレスＥＣＣなどがＳＬＮ領域として採用されても良いものである。【００９０】
以上、説明したように、本発明の光ディスク１００によれば、データが記録される各セクタに含まれるＳＬＮ及びＬＬＮを参照することで、光ディスク１００における各記録層を絶対的に特定可能となると共に、レイヤセット毎に各記録層を特定可能となる。【００９１】
（３）情報記録再生装置の基本構成例
続いて、図５を参照して、本発明の情報記録装置に係る実施例としての情報記録再生装置１について説明する。ここに、図５は、本実施例に係る情報記録再生装置１の基本的な構成を概念的に示すブロック図である。尚、情報記録再生装置１は、光ディスク１００にデータを記録する機能と、光ディスク１００に記録されたデータを再生する機能とを備える。【００９２】
図５に示すように、情報記録再生装置１は、光ディスク１００がローディングされ、データの記録または再生を実施するディスクドライブ２００と、該ディスクドライブ２００の動作を制御するパーソナルコンピュータ等のホストコンピュータ３００とを備えている。【００９３】
ディスクドライブ２００は、光ディスク１００、スピンドルモータ２１０、光ピックアップ２２０、信号記録再生部２３０、ＣＰＵ２４０、メモリ２５０、データ入出力制御部２６０、及びバス２７０を備えて構成されている。また、ホストコンピュータ３００は、ＣＰＵ３１０、メモリ３２０、操作表示制御部３３０及びデータ入出力制御部３４０を備えて構成される。【００９４】
スピンドルモータ２１０は、光ディスク１００を回転及び停止させるもので、光ディスク１００へのアクセス時に動作する。より詳細には、スピンドルモータ２１０は、図示しないサーボユニット等によりスピンドルサーボを受けつつ所定速度で光ディスク１００を回転及び停止させるように構成されている。【００９５】
光ピックアップ２２０は、光ディスク１００への記録及び再生を行うために、例えば図示しない半導体レーザ素子と、コリメータレンズ及び対物レンズ等から構成される。より詳細には、光ピックアップ２２０は、光ディスク１００に対してレーザービーム等の光ビームを、再生時には読み取り光として第１のパワーで照射し、記録時には書き込み光として第２のパワーで且つ変調させながら照射する。【００９６】
信号記録再生部２３０は、ＣＰＵ２４０の制御を受けながらスピンドルモータ２１０と光ピックアップ２２０を制御することで、光ディスク１００に対して記録再生を行う。より具体的には、信号記録再生部２３０は、例えば、レーザダイオードドライバ（ＬＤドライバ）及びヘッドアンプ等によって構成されている。レーザダイオードドライバは、例えば駆動パルスを生成し、光ピックアップ２２０内に設けられた半導体レーザ素子１１１を駆動する。ヘッドアンプは、光ピックアップ２２０の出力信号、即ち、光ビームの反射光を増幅し、該増幅した信号を出力する。【００９７】
メモリ２５０は、記録再生データのバッファ領域や、信号記録再生部２３０で使用出来るデータに変換する時の中間バッファとして使用される領域などディスクドライブ２００におけるデータ処理全般及びＯＰＣ処理において使用される。また、メモリ２５０はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【００９８】
ＣＰＵ２４０は、信号記録再生部２３０及びメモリ２５０と、バス２７０を介して接続され、各種制御手段に指示を行うことで、ディスクドライブ２００全体の制御を行う。通常、ＣＰＵ２４０が動作するためのソフトウェア又はファームウェアは、メモリ２５０に格納されている。【００９９】
また、本実施例のＣＰＵ２４０は、本発明の記録装置または再生装置における参照手段の一具体例を構成するものであって、光ピックアップ２２０を介して読み取られる光ディスク１００のアドレス情報より、記録層番号ＳＬＮ及びＬＬＮを取得する。そして、ＣＰＵ２４０は、例えば、記録層番号ＳＬＮ及びＬＬＮに基づき、光ピックアップ２２０におけるレーザ光の光軸調整を行うことで、所望の記録層へのレイヤジャンプのジャンプ量を設定する。【０１００】
データ入出力制御部２６０は、ディスクドライブ２００に対する外部からのデータ入出力を制御し、メモリ２５０上のデータバッファへの格納及び取り出しを行う。ディスクドライブ２００とＳＣＳＩや、ＡＴＡＰＩなどのインタフェースを介して接続されている外部のホストコンピュータ３００から発行されるドライブ制御命令は、データ入出力制御部２６０を介してＣＰＵ２４０に伝達される。また、記録再生データも同様にデータ入出力制御部２６０を介して、ホストコンピュータ３００とやり取りされる。【０１０１】
操作表示制御部３３０はホストコンピュータ３００に対する動作指示受付と表示を行うもので、例えば不図示の操作ボタンなどを介して入力される記録又は再生などの指示をバス３５０を介してＣＰＵ３１０に伝える。ＣＰＵ３１０は、操作表示制御部３３０からの指示情報を元に、データ入出力制御部３４０を介して、ディスクドライブ２００に対して制御命令（コマンド）を送信し、ディスクドライブ２００全体を制御する。同様に、ＣＰＵ３１０は、ディスクドライブ２００に対して、動作状態をホストに送信するように要求するコマンドを送信することが出来る。これにより、記録中や再生中といったディスクドライブ２００の動作状態が把握出来るためＣＰＵ３１０は、操作表示制御部３３０を介して蛍光管やＬＣＤなどの不図示の表示パネルにディスクドライブ２００の動作状態を出力することが出来る。【０１０２】
メモリ３２０は、ホストコンピュータ３００が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御部３４０を介して、図示しないハードディスク等の外部記憶装置に接続されていてもよい。【０１０３】
本実施例の情報記録再生装置によれば、上述した光ディスク１００に対するデータの記録及び記録されるデータの再生を好適に実施することが可能となる。【０１０４】
本発明は、上述した実施例に限られるものではなく、請求の範囲及び明細書全体から読み取れる発明の要旨或いは思想に反しない範囲で適宜変更可能であり、そのような変更を伴なう情報記録媒体、情報記録装置及び情報再生装置もまた本発明の技術的範囲に含まれるものである。
【符号の説明】
【０１０５】
１  情報記録装置
１０  ＥＣＣブロック
１２  ＢＩＳ
１４  アドレスフィールド
１００  光ディスク
１１０  ＳＬ０層／ＬＬ０層
１２０  ＳＬ０層／ＬＬ１層
１３０  ＳＬ１層／ＬＬ０層
１４０  ＳＬ１層／ＬＬ１層
２００  ディスクドライブ
２１０  スピンドルモータ
２２０  光ピックアップ
２３０  信号記録再生部
２４０  ＣＰＵ
３００  ホストコンピュータ
【図１】
2011055453.tif 000003
【図２】
2011055453.tif 000004
【図３】
2011055453.tif 000005
【図４】
2011055453.tif 000006
【図５】
2011055453.tif 000007
【国際調査報告】
2011055453.tif 000008
2011055453.tif 000009
2011055453.tif 000010
2011055453.tif 000011
2011055453.tif 000012
2011055453.tif 000013
2011055453.tif 000014
2011055453.tif 000015